(57)【要約】【課題】簡易な構造によりタブレットコンピュータを縦位置と横位置の両方で立設可能としたタブレットコンピュータ用ケースを提供する。【解決手段】タブレットコンピュータ５の背面側を被覆して保持する背面板部２と、背面板部とで見開き状となるように開閉自在な正面板部１とが、連結部３を介して連結されてなり、背面板部２はタブレットコンピュータ５の外形状に略沿う方形状に形成され、正面板部１のタブレットコンピュータの画面５ａに対向する面には、背面板部２を立て掛け自在な掛かり部１２が形成され、連結部３は背面板部２の中央領域と回転結合部３０を介して結合され、背面板部２は縦位置と横位置でそれぞれ連結部３により支持されると共に、掛かり部１２に対し立て掛け自在とされる。【選択図】図７
2013011977.tif 000002
【特許請求の範囲】
【請求項１】
正面側に画面を有する方形状であって縦位置と横位置のいずれでも使用可能なタブレットコンピュータを収納して被覆するタブレットコンピュータ用ケースにおいて、
前記タブレットコンピュータの背面側を被覆すると共に該タブレットコンピュータを保持する背面板部と、該背面板部とで見開き状となるように開閉自在で前記タブレットコンピュータの正面側を被覆自在な正面板部とが、連結部を介して連結され、
前記背面板部は前記タブレットコンピュータの外形状に略沿う方形状に形成され、前記正面板部の前記タブレットコンピュータの画面に対向する面には、前記背面板部を立て掛け自在な掛かり部が形成され、
前記連結部は前記背面板部の中央領域と回転結合部を介して結合され、前記背面板部は縦位置と横位置でそれぞれ前記連結部により支持されると共に、前記掛かり部に対し立て掛け自在とされたことを特徴とするタブレットコンピュータ用ケース。
【請求項２】
前記連結部は、前記正面板部との結合部と前記回転結合部との間を構成する支持部で、前記背面板部を立設したときに背面側から支持することを特徴とする請求項１記載のタブレットコンピュータ用ケース。
【請求項３】
前記連結部は、前記正面板部との結合部の近傍と前記回転結合部の近傍に、それぞれ角度可変部を有することを特徴とする請求項１または２記載のタブレットコンピュータ用ケース。
【請求項４】
前記掛かり部は前記正面板部の縦辺方向複数箇所で前記背面板部を立て掛け自在とすることを特徴とする請求項１〜３のいずれか１項に記載のタブレットコンピュータ用ケース。
【発明の詳細な説明】
【技術分野】
【０００１】
本発明は、正面側に画面を有するタブレットコンピュータを収納して両面を被覆するタブレットコンピュータ用ケースに関し、特にタブレットコンピュータを縦横いずれの方向でも立設可能なタブレットコンピュータ用ケースに関する。
【背景技術】
【０００２】
携帯、操作しやすいコンピュータとして、タッチパネルを備えたタブレットコンピュータが知られているが、コンピュータ技術の発達により、軽量・薄型のタブレットコンピュータが実現可能となり、人気を博している。タブレットコンピュータは、略方形の薄板状の外形状を有し、正面側にタッチパネル付の画面を備えており、画面を指やタッチペンなどで触れたり、なぞったりすることで、各種操作をなすことができる。
【０００３】
このようなタブレットコンピュータは、直接手で持って操作され、また携帯されることが多いため、画面をはじめとして汚れや傷が付きやすい。このため、タブレットコンピュータを被覆して汚れや傷を防ぐケースが広く流通している。
【発明の概要】
【発明が解決しようとする課題】
【０００４】
タブレットコンピュータでは、写真や映像を再生することが多く、このときにはタブレットコンピュータをある程度傾けた状態で立てかけておくことで、画面を見やすくすることができる。そこで、タブレットコンピュータを被覆するケースに、所定角度で立てかけるスタンド機能を持たせ、利便性を向上させたものも知られている。
【０００５】
タブレットコンピュータは、画面を長方形状とし、長辺を縦にする縦位置と短辺を縦にする横位置のいずれでも使用できるように構成されていることが多い。しかし、従来のタブレットコンピュータ用ケースは、タブレットコンピュータを縦位置または横位置のいずれかの位置で立設させるものであったため、縦位置と横位置を切り替えて立設可能なタブレットコンピュータ用ケースが望まれていた。
【０００６】
本発明は前記課題を鑑みてなされたものであり、簡易な構造によりタブレットコンピュータを縦位置と横位置の両方で立設可能としたタブレットコンピュータ用ケースを提供することを目的とする。
【課題を解決するための手段】
【０００７】
前記課題を解決するため、本発明に係るタブレットコンピュータ用ケースは、正面側に画面を有する方形状であって縦位置と横位置のいずれでも使用可能なタブレットコンピュータを収納して被覆するタブレットコンピュータ用ケースにおいて、
前記タブレットコンピュータの背面側を被覆すると共に該タブレットコンピュータを保持する背面板部と、該背面板部とで見開き状となるように開閉自在で前記タブレットコンピュータの正面側を被覆自在な正面板部とが、連結部を介して連結され、
前記背面板部は前記タブレットコンピュータの外形状に略沿う方形状に形成され、前記正面板部の前記タブレットコンピュータの画面に対向する面には、前記背面板部を立て掛け自在な掛かり部が形成され、
前記連結部は前記背面板部の中央領域と回転結合部を介して結合され、前記背面板部は縦位置と横位置でそれぞれ前記連結部により支持されると共に、前記掛かり部に対し立て掛け自在とされたことを特徴として構成されている。
【０００８】
また、本発明に係るタブレットコンピュータ用ケースは、前記連結部は、前記正面板部との結合部と前記回転結合部との間を構成する支持部で、前記背面板部を立設したときに背面側から支持することを特徴として構成されている。
【０００９】
さらに、本発明に係るタブレットコンピュータ用ケースは、前記連結部は、前記正面板部との結合部の近傍と前記回転結合部の近傍に、それぞれ角度可変部を有することを特徴として構成されている。
【００１０】
さらにまた、本発明に係るタブレットコンピュータ用ケースは、前記掛かり部は前記正面板部の縦辺方向複数箇所で前記背面板部を立て掛け自在とすることを特徴として構成されている。
【発明の効果】
【００１１】
本発明に係るタブレットコンピュータ用ケースによれば、連結部の支持と掛かり部の保持によって背面板部を立て掛け自在とし、連結部と背面板部が回転結合部を介して結合されていることにより、背面板部を回転結合部において回転させることにより、縦位置と横位置を切り替えて立て掛けることができるので、タブレットコンピュータを縦位置と横位置のいずれでも立て掛けて使用することができ、利便性の高いタブレットコンピュータ用ケースとすることができる。
【図面の簡単な説明】
【００１２】
【図１】本実施形態におけるタブレットコンピュータ用ケースの閉じた状態の斜視図である。
【図２】タブレットコンピュータ用ケースを開いた状態の斜視図である。
【図３】タブレットコンピュータ用ケースの閉じた状態の側面図である。
【図４】タブレットコンピュータを保持した背面板部を立て掛けた状態におけるタブレットコンピュータ用ケースの側面図である。
【図５】掛かり部付近の拡大断面図である。
【図６】回転結合部付近の拡大断面図である。
【図７】連結部と背面板部との関係を表した平面図である。
【図８】タブレットコンピュータを横位置とした状態で背面板部を立て掛けたタブレットコンピュータ用ケースの斜視図である。
【発明を実施するための形態】
【００１３】
本発明の実施形態について図面に沿って詳細に説明する。図１には本実施形態におけるタブレットコンピュータ用ケースの閉じた状態の斜視図を、図２にはタブレットコンピュータ用ケースを開いた状態の斜視図を、それぞれ示している。図２は、収納途中の状態のタブレットコンピュータ５を示している。
【００１４】
タブレットコンピュータ用ケースに保持されるタブレットコンピュータ５は、長方形の薄板状に形成され、正面側に長方形の画面５ａを有してなるものである。タブレットコンピュータ５は画面５ａの長辺が縦方向に配置される縦位置と、画面５ａの短辺が縦方向に配置される横位置との、いずれの状態でも使用することができる。また、タブレットコンピュータ５には、一方の短辺側中央部に、押し釦スイッチからなる操作ボタン５ｂが設けられている。
【００１５】
図１に示すように、タブレットコンピュータ用ケースを閉じた状態において、タブレットコンピュータ５は、正面及び背面がそれぞれ被覆されていて、外部に露出しない。このため、タブレットコンピュータ５を持ち運ぶ際に、汚れや傷が付くことを防止することができる。
【００１６】
図２に示すように、タブレットコンピュータ用ケースは、タブレットコンピュータ５の正面側を被覆する正面板部１と、タブレットコンピュータ５の背面側を被覆すると共に保持する背面板部２とを有している。正面板部１と背面板部２は、それぞれタブレットコンピュータ５の外形状に略沿う長方形の外形状を有してなり、それぞれタブレットコンピュータ５の正面側と背面側を被覆することができる。そして、正面板部１と背面板部２は連結部３によって互いに連結されている。
【００１７】
連結部３は、図１に示すように、背面板部２に対しては大きく張り出すように形成され、連結部３の端部は回転結合部３０となっており、背面板部２の中央領域に固定される。連結部３は、回転結合部３０の近傍に折曲自在な折曲部３３を有している。連結部３のうち正面板部１側の端部付近は、折り返し自在となるように軟質に形成されており、当該折り返し部分よりも回転結合部３０側については、背面板部２を立て掛ける際にこれを支持するため、硬質材により補強された支持部３２となっている。これらの構成により、背面板部２は正面板部１に対し立設角度可変とされる。
【００１８】
タブレットコンピュータ５は、背面板部２によって保持固定され、正面板部１は背面板部２に対して連結部３を介し見開き状に開閉自在となっているから、正面板部１を開くことによりタブレットコンピュータ５の画面を露出させて操作・閲覧を行うことができる。正面板部１には、連結部３が設けられる側と反対側の短辺に、固定帯４が形成されている。固定帯４は、図１に示すように、正面板部１を閉じた際に背面板部２に対し係合固定自在とされており、両者の閉じた状態を維持する機能を有する。
【００１９】
正面板部１は、これを閉じた際に背面板部２と対向する内面に、複数の凹部１３が形成されている。凹部１３は、後述する磁石部材１５とで背面板部２を立て掛ける掛かり部１２を構成する。
【００２０】
背面板部２は、タブレットコンピュータ５の背面側を被覆する基板２０と、タブレットコンピュータ５の正面側周縁部を被覆し画面５ａを露出させる枠部２１とを有して構成されている。基板２０は、タブレットコンピュータ５を納めることができるようにトレイ状をなすように形成されている。また、枠部２１には、短辺の中央部に、タブレットコンピュータ５の操作ボタン５ｂを露出させることができるように、半円形状のボタン露出用凹部２１ａが形成されている。
【００２１】
図３には、タブレットコンピュータ用ケースの閉じた状態の側面図を示している。正面板部１は、皮革や合成皮革あるいは樹脂材などの硬質部材からなる基板１０を外面側に有し、タブレットコンピュータ５の画面５ｂに接する内面側には、スポンジ等の可撓性部材からなる保護部１１を配設している。保護部１１は、正面板部１を閉じた際にタブレットコンピュータ５の画面５ｂに当接し、これを保護する。前述の凹部１３は、保護部１１を凹状に成形して形成されている。
【００２２】
背面板部２を構成する基板２０及び枠部２１は、いずれも硬質部材からなっている。なお、正面板部１と背面板部２には、いずれもタブレットコンピュータ５と接する内面側の表面に、タブレットコンピュータ５を傷付けないように、なめらかな表面からなる内張材を設けてある。
【００２３】
連結部３の正面板部１側の端部は、正面板部１の端部に対して不可動に固定された結合部３１であり、その近傍は変形自在であって、背面板部２の外面側に向かって折り返されている。また、連結部３の背面板部２側の端部は、背面板部２の表面に対して当接し固定されていて、回転結合部３０を構成している。回転結合部３０は、連結部３を背面板部２に対して当接状態で回転自在となるように結合している。その固定構造については後で詳述する。また、固定帯４は、正面板部１側の端部が正面板部１の端部に対して固定され、背面板部２側の端部が背面板部２の表面側に対して係合固定自在とされる。
【００２４】
正面板部１には、直方体状に形成された立て掛け部材としての磁石部材１５が接離自在に取付けられる。磁石部材１５は、正面板部１の内面側に形成される凹部１３の形状に略適合する大きさに形成されており、複数の凹部１３のうちいずれかに収納固定することができるようにされている。また、磁石部材１５を固定するため、正面板部１には、鉄などの磁性体からなる小片板状の部材（図示しない）が埋め込まれた磁石部材固定部１６が形成されている。磁石部材固定部１６には、磁力によって磁石部材１５を固定することができるようになっており、また、必要に応じて取り外すこともできるように構成されている。
【００２５】
図４には、タブレットコンピュータ５を保持した背面板部２を立て掛けた状態におけるタブレットコンピュータ用ケースの側面図を示している。この図は、図３の状態からそのまま背面板部２を立て掛けており、タブレットコンピュータ５が縦位置の状態で立て掛けられている。図４に示すように、連結部３は、正面板部１側の端部近傍が角度可変に折り返し自在となっていると共に、背面板部２に対する固定部である回転結合部３０付近に角度可変な折曲部３３を有していることにより、背面板部２は、連結部３に対して角度可変に傾斜させた状態で、背面側を連結部３に支持させることができる。
【００２６】
正面板部１には、前述のように、いずれかの凹部１３に磁石部材１５を固定できるようになっている。背面板部２は、傾斜させることで背面側が連結部３に支持されるが、そのままでは正面板部１と接する端部が保持されていないので、自重により傾斜した立設状態を維持できない。そこで、磁石部材１５を正面板部１に固定することで、正面板部１の内面に凸部が形成され、背面板部２の一辺を所定角度で立て掛けておくことができるようになる。このように、正面板部１の凹部１３と磁石部材１５とで、背面板部２を立て掛け自在とする掛かり部１２が構成される。これらの連結部３及び掛かり部１２によって、タブレットコンピュータ５を保持した背面板部２を、所定角度で傾斜した状態で立設させることができる。
【００２７】
掛かり部１２の構成につきより詳細に説明する。図５には、掛かり部１２付近の拡大断面図を示している。正面板部１を構成する保護部１１には、４か所に凹部１３が形成されている。図５では、図中右側が連結部３に近い側であり、凹部１３は正面板部１において連結部３により背面板部２と連結される方向に沿って４つが離隔配置されている。各凹部１３の底面部には、それぞれ鉄などからなる小片状の磁性体部材１４が埋設されている。
【００２８】
磁石部材１５は、前述のように凹部１３に略適合する外形状を有すると共に、凹部１３の深さよりは高く形成されているから、磁石部材１５を凹部１３に納めることで、磁石部材１５は正面板部１から突出した状態となる。また、磁石部材１５は、凹部１３の底面部に磁性体部材１４が埋設されていることにより、磁力によって凹部１３に固定され、掛かり部１２を形成する。このように形成された掛かり部１２により、立設状態にある背面板部２の縁部が保持され、該背面板部２が立て掛けられる。
【００２９】
図５において実線で示した磁石部材１５は、連結部３から最も遠い位置にある凹部１３に固定されている。図５において破線で示されているように、磁石部材１５はその他３つの凹部１３にも同様に固定することができ、それぞれで掛かり部１２を形成する。異なる位置の凹部１３に磁石部材１５を固定することにより、背面板部２の立設時における傾斜角度を変化させることができる。例えば、連結部３から２番目に近い位置にある凹部１３に磁石部材１５を固定した場合には、図５において破線で示すように、背面板部２はより急角度で立設されることとなる。
【００３０】
このように、正面板部１の内面に複数の凹部１３を背面板部２との連結方向に沿って形成すると共に、各凹部１３の底面部にはそれぞれ磁性体部材１４を設け、これら凹部１３のいずれかに磁石部材１５を固定することで背面板部２を立て掛ける掛かり部１２を形成するようにしたことで、簡単な構成でタブレットコンピュータ５を保持した背面板部２を複数角度で立設可能とすることができる。また、磁石部材１５の固定位置を変えるだけで、背面板部２の立設の角度も容易に変更することができる。そして、磁石部材１５は、正面板部１の外面側に磁力により固定しておくことができるので、正面板部１を閉じた状態において、磁石部材１５を紛失することがないようにすることができる。
【００３１】
次に、連結部３の回転結合部３０について詳細に説明する。図６には、回転結合部３０付近の拡大断面図を示している。回転結合部３０は、背面板部２内に固定される背面板側部材３０ａと、連結部３内に固定される連結部側部材３０ｂとが、互いに回転自在となるように連係され構成されている。これらの背面板側部材３０ａ及び連結部側部材３０ｂは、互いに当接する連結部３と背面板部２の内部に埋設されているから、外部には露出しない。
【００３２】
図７には、連結部３と背面板部２との関係を表した平面図を示している。図７の実線で示した背面板部２は、連結部３に対してタブレットコンピュータ５が縦位置に配置されている状態となっている。前述のように、連結部３は回転結合部３０で背面板部２を回転自在に保持しているから、背面板部２は連結部３に対して回転結合部３０を中心として図中破線で示すように回転させることができる。
【００３３】
背面板部２は、連結部３に対し３６０度回転させることができるが、図７に示すように９０度回転させることで、タブレットコンピュータ５が縦位置の状態と横位置の状態とを切り替えることができる。そして、縦位置と横位置のいずれの状態でも、背面板部２を掛かり部１２に立て掛けることができる。
【００３４】
図８には、タブレットコンピュータ５を横位置とした状態で背面板部２を立て掛けたタブレットコンピュータ用ケースの斜視図を示している。この図に示すように、横位置の場合でも、正面板部１の凹部１３に磁石部材１５を固定して掛かり部１２を形成することで、タブレットコンピュータ５を保持した背面板部２を立て掛けることができる。
【００３５】
背面板部２を横位置で立て掛ける際には、背面板部２の長辺のうち一辺が掛かり部１２によって保持される。横位置で立て掛けたときは、回転結合部３０から保持される辺までの距離が縦位置の場合と異なるから、掛かり部１２の位置が同じであっても背面板部２の角度は縦位置のときと若干異なることとなる。連結部３は、正面板部１側の端部近傍と回転結合部３０付近のそれぞれを角度可変としていることにより、背面板部２を角度可変に支持できるので、縦位置と横位置のいずれにおいても、確実に背面板部２を支持することができる。
【００３６】
このように、連結部３の支持と掛かり部１２の保持によって背面板部２を立て掛け自在としたタブレットコンピュータ用ケースにおいて、連結部３と背面板部２が回転結合部３０を介して結合されていることにより、背面板部２を回転結合部３０において回転させることにより、縦位置と横位置を切り替えて立て掛けることができるので、タブレットコンピュータ５を縦位置と横位置のいずれでも立て掛けて使用することができ、利便性の高いタブレットコンピュータ用ケースとすることができる。
【００３７】
以上、本発明の実施形態について説明したが、本発明の適用は本実施形態には限られず、その技術的思想の範囲内において様々に適用されうるものである。例えば、掛かり部１２については、凹部１３と磁石部材１５で構成するものには限られない。掛かり部１２の他の構成としては、正面板部１の内面に溝部を形成し、該溝部で背面板部２の一辺を保持して立て掛け自在とするものや、正面板部１の内面と背面板部２の縁部に面ファスナーを設け、互いに被着させて背面板部２を立て掛け自在とするものなどがある。
【符号の説明】
【００３８】
１    正面板部
２    背面板部
３    連結部
４    固定帯
５    タブレットコンピュータ
１０    基板
１１    保護部
１２    掛かり部
１３    凹部
１４    磁性体部材
１５    磁石部材
２０    基板
２１    枠部
２２    固着部
３０    回転結合部
３１    結合部
３２    支持部
３３    折曲部
【図１】
2013011977.tif 000003
【図２】
2013011977.tif 000004
【図３】
2013011977.tif 000005
【図４】
2013011977.tif 000006
【図５】
2013011977.tif 000007
【図６】
2013011977.tif 000008
【図７】
2013011977.tif 000009
【図８】
2013011977.tif 000010